(57)【要約】      （修正有）【課題】電池寿命が長い、下部容器及び上部容器を含む水電池を提供する。【解決手段】下部容器１０は活性炭で満たされ、また上部容器２０は水で満たされている。下部容器は、上部容器に係合する。ゴムパッド１７が下部容器の一端側にあり、カバー１１が下部容器の他端側にある。吸水性を有するバー１６は、ゴムパッドを貫通して伸び、下部容器の活性炭に埋め込まれた一端と、上部容器中の水に浸された他端とを有する。陽極ロッド１２と陰極ロッド１３がカバーを貫通して伸びる。陰極ロッド１３は陰極プレートと金属プレートとから成る。陰極プレートは減極機能を有し、金属プレートは下部容器を貫通し部分的に突出する。これにより、陰極が長い間使われた後も、陰極の分極を防止することができる。したがって、出力電圧の低下が防止され、水電池の寿命が改善される。【選択図】図５
0003162433.tif 000002
【実用新案登録請求の範囲】
【請求項１】
改良された電池寿命を有する水電池であって、
活性炭で満たされ、頂部及び底部を有する下部容器と、
前記下部容器の前記底部のカバー及び前記下部容器の前記頂部のゴムパッドと、
陽極及び陰極の両ロッドであってそれぞれが前記カバーを貫通して取り付けられ前記活性炭に接触すべく前記下部容器内に伸長する一端を有する両ロッドと、
前記下部容器に取り外し可能に係合し、水で満たされた上部容器と、
前記ゴムパッドを貫通して伸長し、前記下部容器内に満たされた前記活性炭に埋め込まれた第１の端部及び前記上部容器内に満たされた前記水に浸された第２の端部を有する吸水性のバーとを含み、
前記陰極ロッドは陰極プレート及び金属プレートから成り、前記陰極プレートは、二酸化マンガン、炭素粉末及びポリマー（テトラフルオロエチレン）を混ぜて、圧延することによって作られ、前記金属プレートは、前記陰極プレートと接触しまた前記下部容器を貫通して部分的に突出する、水電池。
【請求項２】
前記金属プレートは両側に前記陰極プレートに接触する鋸歯状の縁が形成され、該鋸歯状の縁は前記陰極プレートに接触すべく曲げられている、請求項１に記載の水電池。
【請求項３】
前記陽極ロッドは、アルミニウムマグネシウム合金で作られている、請求項１に記載の水電池。
【請求項４】
さらに、前記ゴムパッドに取り付けられたブロックリングを含む、請求項１に記載の水電池。
【請求項５】
前記下部容器は該下部容器の前記頂部を取り巻いて形成された外ねじを有し、前記上部容器は該上部容器の内面に形成された内ねじを有し、前記内ねじを前記外ねじに締め付けることにより前記下部容器は前記上部容器に係合する、請求項１に記載の水電池。
【請求項６】
さらに前記下部容器と前記上部容器との間に配置されたワッシャを含む、請求項１に記載の水電池。
【考案の詳細な説明】
【技術分野】
【０００１】
本考案は、水電池に関し、特に改良された電池寿命を有する水電池に関する。
【背景技術】
【０００２】
環境保全の自覚の増大により、人々は、制限された天然資源がことによるとまもなく尽きるかもしれないことに徐々に気付いている。そのため、有効な科学資源が低汚染の新しいエネルギー形態の開発に捧げられており、特に、電気貯蔵の装置は重要である。環境保全により良いエネルギーを提供すべく、本願考案者は、名称「低電圧電池を消費する電化製品のための電池（Battery for an electrical appliance that consumes low voltage battery）」の米国出願を行い、米国特許第７，０１１，９０６を得た。前記特許に開示された電池は、陽極と陰極と反応させて発電するために水を利用する。
【先行技術文献】
【特許文献】
【０００３】
【特許文献１】米国特許第７，０１１，９０６号明細書
【０００４】
しかしながら、水電池がある期間使われると、前記電池の化学反応によって発生した水素イオンは、陰極上に堆積し、陰極に分極を生じさせる。前記陰極の分極は、出力電圧を降下させ、前記水電池の電池寿命を縮める。
【０００５】
前記欠点を克服すべく、本考案は前記した問題を緩和し又は除去する。
【考案の概要】
【考案が解決しようとする課題】
【０００６】
本考案の目的は、分極の影響を防止することができ、電池寿命が改善された水電池を提供することにある。
【課題を解決するための手段】
【０００７】
本考案によれば、改良された電池寿命を有する水電池であって、活性炭で満たされ、頂部及び底部を有する下部容器と、前記下部容器の前記底部のカバー及び前記下部容器の前記頂部のゴムパッドと、陽極及び陰極の両ロッドであってそれぞれが前記カバーを貫通して取り付けられ前記活性炭に接触すべく前記下部容器内に伸長する一端を有する両ロッドと、前記下部容器に取り外し可能に係合し、水で満たされた上部容器と、前記ゴムパッドを貫通して伸長し、前記下部容器内に満たされた前記活性炭に埋め込まれた第１の端部及び前記上部容器内に満たされた前記水に浸された第２の端部を有する吸水性のバーとを含み、前記陰極ロッドは陰極プレート及び金属プレートから成り、前記陰極プレートは、二酸化マンガン、炭素粉末及びポリマー（テトラフルオロエチレン）を混ぜて、圧延することによって作られ、前記金属プレートは、前記陰極プレートと接触しまた前記下部容器を貫通して部分的に突出する、水電池が提供される。
【０００８】
好ましくは、前記金属プレートは両側に前記陰極プレートに接触する鋸歯状の縁が形成され、該鋸歯状の縁は前記陰極プレートに接触すべく曲げられている。
【０００９】
好ましくは、前記陽極ロッドは、アルミニウムマグネシウム合金で作られている。
【００１０】
好ましくは、本考案は、さらに、前記ゴムパッドに取り付けられたブロックリングを含む。
【００１１】
好ましくは、前記下部容器は該下部容器の前記頂部を取り巻いて形成された外ねじを有し、前記上部容器は該上部容器の内面に形成された内ねじを有し、前記内ねじを前記外ねじに締め付けることにより前記下部容器は前記上部容器に係合する。
【００１２】
好ましくは、本考案は、さらに前記下部容器と前記上部容器との間に配置されたワッシャを含む。
【００１３】
本考案の他の目的、利点及び新規な特徴は、添付図面に関連しての以下の詳細な説明からより明白になるであろう。
【図面の簡単な説明】
【００１４】
【図１】本考案に係る水電池の外観図である。
【図２】本考案に係る前記水電池の透視図である。
【図３】本考案に係る前記水電池の分解斜視図である。
【図４】本考案に係る前記水電池の他の分解斜視図である。
【図５】本考案に係る前記水電池の断面図である。
【考案を実施するための形態】
【００１５】
以下、本考案を図示の実施例に沿って詳細に説明する。
【実施例】
【００１６】
図1及び図２を参照するに、本考案に係る水電池は、下部容器（１０）と、上部容器（２０）とを含む。下部容器（１０）は、活性炭で満たされており、頂部及び底部を有する。下部容器（１０）の前記底部はカバー（１１）によって封止されている。陽極ロッド（１２）及び陰極ロッド（１３）は、カバー（１１）を貫通して取り付けられており、前記両ロッドのそれぞれの一端は前記活性炭に接触すべく下部容器（１０）を貫通して伸長する。
【００１７】
図３及び図４を参照するに、ゴムパッド（１７）が下部容器（１０）の前記頂部に取り付けられており、下部容器（１０）を封止する。好適な実施例では、ブロックリング（１８）がゴムパッド（１７）に取り付けられており、該ゴムパッド（１７）は、下部容器（１０）から離脱することを防止するために、下部容器（１０）の側壁に強く接する。
【００１８】
上部容器（２０）は、透明であり、水で満たされている。上部容器（２０）の一端側は、下部容器（１０）に係合する。吸水性のバー（１６）がゴムパッド（１７）の中心を貫通して取り付けられている。吸水性のバー（１６）、第１の端部及び第２の端部を有する。吸水性のバー（１６）の前記第１の端部は、下部容器（１０）内に満たされた前記活性炭に埋め込まれており、吸水性のバー（１６）の前記第２の端部は上部容器（２０）内に満たされた水に浸されている。
【００１９】
好ましくは、下部容器（１０）は、該下部容器（１０）の前記頂部の回りに形成された外ねじを有し、上部容器（２０）は、該上部容器（２０）の内面のまわりに形成された内ねじを有する。下部容器（１０）が上部容器（２０）に噛み合うように、前記内ねじが前記外ねじにねじ込まれる。液漏れを防止すべく、下部容器（１０）と上部容器（２０）との間に、ワッシャ（１９）を適用することができる。
【００２０】
陽極ロッド（１２）は、アルミニウムマグネシウム合金で作られている。陰極ロッド（１３）は、陰極プレート（１４）と金属プレート（１５）とから構成されている。二酸化マンガン、炭素粉末及びポリマー（テトラフルオロエチレン）は、陰極プレート（１４）を作るために一緒に混合され、圧延される。得られた陰極プレート（１４）は減極機能を有する。下部容器（１０）で水素イオンと反応する減極剤として二酸化マンガンを使用することにより、電極の表面への水素イオンの堆積により引き起こされる分極を防止することができる。金属プレート（１５）は、部分的に陰極プレート（１４）と接触し、また金属プレート（１５）は、部分的に下部容器（１０）を貫通して突出する。好ましくは、金属プレート（１５）は、両側に陰極プレート（１４）に接触する鋸歯状の縁が形成されている。金属プレート（１５）の鋸歯状の縁は、陰極プレート（１４）に接触するために、曲がる。カバー（１１）は、陽極ロッド（１２）及び陰極ロッド（１３）)の組み付けのために、射出成形によって作ることができる。
【００２１】
図５を参照するに、説明したような前記水電池が初めて使われるとき、上部容器（２０）は水で満たされ、上部容器（２０）は、そのとき、下部容器（１０）に取り付けられる。水に少し浸けられた吸水性のバー（１６）が飽和すると、水は毛管作用により下部容器（１０）内の前記活性炭粉末に引き入れられる。陽極ロッド（１２）及び陰極プレート（１４）の前記水との化学反応によって電位差が生成する。その結果、説明したような前記水電池は、電気製品に使用電圧を提供する。説明したような前記水電池が電気製品の電池室に置かれると、陽極ロッド（１２）と、陰極ロッド（１３）上の金属プレート（１５）とは、前記電気製品の前記電池室中の導電板に接続される。陰極ロッド（１３）の陰極プレート（１４）は陰極の分極による電圧降下を防止する減極機能を有するので、安定した出力電圧が得られ、説明したような前記水電池の電池寿命は改善される。
【００２２】
上部容器（２０）内の前記水がすべて下部容器（１０）に広がったとき、ユーザは、下部容器（１０）から上部容器（２０）を分離し、上部容器（２０）に補足的な水を加えることができる。吸水性のバー（１６）は、継続的に補足的な水を下部容器（１０）に引き入れるので、説明しているような前記水電池は継続的に電圧を提供する。説明しているような前記水電池が長時間の使用後の電圧降下を防止する減極機能を有する陰極プレート（１４）を使用していることから、説明しているような前記水電池は電気製品に継続的に、安定した電圧を提供し、電池寿命を改善した。
【００２３】
本考案の多くの特徴及び利点が本考案の構造及び特徴の詳細と共に前述の説明で記載されたが、その開示は説明のために過ぎない。変更は、添付の請求項の用語の広い一般的な意味によって示された範囲内にわたり、考案の原理内で、特に部分的な形、寸法及び配置に関して細部にわたってなすことができる。
【符号の説明】
【００２４】
１０  下部容器
１１  カバー
１２  陽極ロッド
１３  陰極ロッド
１４  陰極プレート
１５  金属プレート
１６  吸水性バー
１７  ゴムパッド
１８  ブロックリング
１９  ワッシャ
２０  上部容器
【図１】
0003162433.tif 000003
【図２】
0003162433.tif 000004
【図３】
0003162433.tif 000005
【図４】
0003162433.tif 000006
【図５】
0003162433.tif 000007